(57)【要約】【課題】吊持部材に脚が引っ掛ることやパンツと吊持部材との間に脚を通すことがなく、着用に手間取ることがない使い捨ておむつを提供する。【解決手段】パンツ２と、パンツ２の内側に位置する体液吸収性パッド１１とから構成され、パッド１１が、パンツ２の前後胴周り域３８，４０を胴周り方向へ延びる伸縮性第１および第２吊持部材１９，２７に連結され、第１および第２吊持部材１９，２７が、胴周り方向へ伸長状態でパンツ２に連結された使い捨ておむつ１Ａであり、パッド１１の前後端部１５，１６が、それら吊持部材１９，２７の中央部２５，３３に固着され、それら吊持部材１９，２７の両側部が、前後胴周り域３８，４０の胴周り側部５に固着され、それら吊持部材１９，２７の外端部２３，３１が、前後胴周り域３８，４０を胴周り方向へ間欠的に並ぶ接合域３５を介して前後胴周り域３８，４０に固着されている。【選択図】図１
2006026426.tif 000002
【特許請求の範囲】
【請求項１】
互いに対向する前後胴周り域の間に股下域が位置し、それら胴周り域の縦方向へ延びる胴周り側部が連結されて胴周り開口と一対の脚周り開口とが画成されたパンツと、前記パンツの内側に位置して前記股下域を中心に前記前後胴周り域へ向かって延びる体液吸収性パッドとから構成され、前記パッドが、透液性表面シートと不透液性裏面シートとそれらシートの間に介在する吸液性コアとから形成されるとともに、前記パンツの内側に位置して前記前後胴周り域を胴周り方向へ延びる帯状の伸縮性第１および第２吊持部材に連結され、前記第１および第２吊持部材が、前記胴周り方向へ伸長状態で前記パンツに連結された使い捨ておむつにおいて、
前記パッドが、前記前後胴周り域の中央部を前記胴周り方向へ延びる前後端部と、前記前後端部の間を脚周り方向へ延びる両側部とを有し、前記第１および第２吊持部材が、前記股下域の直上を前記胴周り方向へ延びる内端部と、前記胴周り開口近傍を前記胴周り方向へ延びる外端部と、前記内外端部の間を前記縦方向へ延びる両側部とを有し、
前記パッドの前後端部が、前記第１および第２吊持部材の胴周り方向中央部に固着され、前記第１および第２吊持部材の両側部が、前記前後胴周り域の胴周り側部に固着され、前記第１および第２吊持部材の外端部が、前記前後胴周り域を前記胴周り方向へ間欠的に並ぶ接合域を介して該前後胴周り域に固着されていることを特徴とする前記おむつ。
【請求項２】
前記接合域が、前記第１および第２吊持部材の外端部における前記パッドの前後端部と両側部との交差部位の外側近傍に形成されている請求項１記載のおむつ。
【請求項３】
前記パンツの前後胴周り域を前記胴周り方向へ延びる複数条の胴周り用弾性部材が、前記胴周り開口と前記脚周り開口との間を前記縦方向へ所与寸法離間して並び、かつ、前記第１および第２吊持部材を前記胴周り方向へ伸長させた状態にあるときの前記前後胴周り域に伸長状態で取り付けられ、前記パンツの股下域を前記脚周り方向へ延びる脚周り用弾性部材が、前記脚周り開口の周縁部に伸長状態で取り付けられている請求項１または請求項２に記載のおむつ。
【請求項４】
前記脚周り方向へ延びる弾性部材が、前記パッドの両側縁部に伸長状態で取り付けられ、前記パッドが、前記パンツの股下域に固着されている請求項１ないし請求項３いずれかに記載のおむつ。
【発明の詳細な説明】
【技術分野】
【０００１】
本発明は、排泄物を吸収、保持する使い捨ておむつに関する。
【背景技術】
【０００２】
特開平１１−９９１６５号公報は、互いに対向する前後胴周り域の間に股下域が位置し、それら胴周り域の縦方向へ延びる胴周り側部が連結されて胴周り開口と一対の脚周り開口とが画成されたパンツと、パンツの内側に位置して股下域を中心に前後胴周り域へ向かって延びる体液吸収性パッドとから構成された使い捨ておむつを開示している。パッドは、透液性表面シートと不透液性裏面シートとそれらシートの間に介在する吸液性コアとから形成されるとともに、股下域の直上に位置して前後胴周り域を胴周り方向へ延びる一対の帯状伸縮性吊持部材に連結されている。吊持部材は、胴周り方向へ伸長状態でパンツに連結されている。
【０００３】
このおむつでは、パッドの前後端部が吊持部材の胴周り方向中央部に固着され、吊持部材の両側部が前後胴周り域の胴周り側部に固着されている。このおむつは、パッドを極力小さく作ることができ、パンツとパッドとが広い面積で着用者に密着することを防ぎつつ、着用時におけるおむつの蒸れを防止するという効果を有する。
【特許文献１】特開平１１−９９１６５号公報
【発明の開示】
【発明が解決しようとする課題】
【０００４】
前記公報に開示のおむつは、吊持部材の両側部の間の部位がパンツに固着されておらず、前記部位がパンツから遊離している。このおむつでは、吊持部材がたるんだ状態にあるときにおむつを着用すると、パンツから遊離した吊持部材の前記部位に着用者の脚が引っ掛ってしまったり、着用者がその脚をパンツと吊持部材との間に通してしまい、着用に手間取る場合がある。
【０００５】
本発明の課題は、吊持部材に脚が引っ掛ることやパンツと吊持部材との間に脚を通すことがなく、着用に手間取ることがない使い捨ておむつを提供することにある。
【課題を解決するための手段】
【０００６】
前記課題を解決するための本発明の前提は、互いに対向する前後胴周り域の間に股下域が位置し、それら胴周り域の縦方向へ延びる胴周り側部が連結されて胴周り開口と一対の脚周り開口とが画成されたパンツと、前記パンツの内側に位置して前記股下域を中心に前記前後胴周り域へ向かって延びる体液吸収性パッドとから構成され、前記パッドが、透液性表面シートと不透液性裏面シートとそれらシートの間に介在する吸液性コアとから形成されるとともに、前記パンツの内側に位置して前記前後胴周り域を胴周り方向へ延びる帯状の伸縮性第１および第２吊持部材に連結され、前記第１および第２吊持部材が、前記胴周り方向へ伸長状態で前記パンツに連結された使い捨ておむつである。
【０００７】
かかる前提における本発明の特徴は、前記パッドが、前記前後胴周り域の中央部を前記胴周り方向へ延びる前後端部と、前記前後端部の間を脚周り方向へ延びる両側部とを有し、前記第１および第２吊持部材が、前記股下域の直上を前記胴周り方向へ延びる内端部と、前記胴周り開口近傍を前記胴周り方向へ延びる外端部と、前記内外端部の間を前記縦方向へ延びる両側部とを有し、前記パッドの前後端部が、前記第１および第２吊持部材の胴周り方向中央部に固着され、前記第１および第２吊持部材の両側部が、前記前後胴周り域の胴周り側部に固着され、前記第１および第２吊持部材の外端部が、前記前後胴周り域を前記胴周り方向へ間欠的に並ぶ接合域を介して該前後胴周り域に固着されていることにある。
【０００８】
本発明の実施の態様の一例としては、前記接合域が、前記第１および第２吊持部材の外端部における前記パッドの前後端部と両側部との交差部位の外側近傍に形成されている。
【０００９】
本発明の実施の態様の他の一例としては、前記パンツの前後胴周り域を前記胴周り方向へ延びる複数条の胴周り用弾性部材が、前記胴周り開口と前記脚周り開口との間を前記縦方向へ所与寸法離間して並び、かつ、前記第１および第２吊持部材を前記胴周り方向へ伸長させた状態にあるときの前記前後胴周り域に伸長状態で取り付けられ、前記パンツの股下域を前記脚周り方向へ延びる脚周り用弾性部材が、前記脚周り開口の周縁部に伸長状態で取り付けられている。
【００１０】
本発明の実施の態様の他の一例としては、前記脚周り方向へ延びる弾性部材が、前記パッドの両側縁部に伸長状態で取り付けられ、前記パッドが、前記パンツの股下域に固着されている。
【発明の効果】
【００１１】
本発明にかかる使い捨ておむつによれば、第１および第２吊持部材がその両側部のみならず、その外端部が胴周り方向へ並ぶ接合域を介してパンツの前後胴周り域に固着されているので、おむつを着用するときに、第１および第２吊持部材に着用者の脚が引っ掛ってしまうことや着用者がその脚をパンツとそれら吊持部材との間に通してしまうことはなく、おむつの着用に手間取ることがない。
【００１２】
パンツの前後胴周り域に複数条の胴周り弾性部材が伸長状態で取り付けられたおむつでは、パンツの前後胴周り域の伸縮性と第１および第２吊持部材の伸縮性とを利用して着用者の胴部を締め付けることができ、着用者の胴部からのおむつのずれ下がりを防止することができる。
【発明を実施するための最良の形態】
【００１３】
添付の図面を参照し、本発明にかかる使い捨ておむつの詳細を説明すると、以下のとおりである。
【００１４】
図１，２は、おむつ１Ａの部分破断斜視図と、前後胴周り域３８，４０の連結を解除し、展開した状態で示す図１のおむつ１Ａの部分破断平面図とであり、図３は、図１のＡ−Ａ線矢視断面図である。図１では、胴周り方向を矢印Ｘ、縦方向を矢印Ｙで示し、脚周り方向を矢印Ｚで示す。図２では、横方向を矢印Ｘ、縦方向を矢印Ｙで示す。図２の平面図では、パンツ２とパッド１１と第１および第２吊持部材１９，２７とが横方向と縦方向とヘ伸長状態にある。なお、表面シート１２と裏面シート１３との内面とは、コア１４に対向する面をいい、それらシート１２，１３の外面とは、コア１４に非対向の面をいう。
【００１５】
おむつ１Ａは、パンツ２と、パンツ２の内側に位置する体液吸収性パッド１１と、パンツ２とパッド１１との間に位置してそれらを連結する帯状の伸縮性第１および第２吊持部材１９，２７とから構成されている。
【００１６】
パンツ２は、互いに重なり合う実質的に不透液性の二枚のシート３，４から形成され、その平面形状が砂時計型を呈する。パンツ２は、互いに対向する前胴周り域３８および後胴周り域４０と、前後胴周り域３８，４０の間に位置する股下域３９とを有する。パンツ２では、前後胴周り域３８，４０の縦方向へ延びる胴周り側部５が合掌状に重なり合い、それら胴周り域３８，４０の胴周り側部５が縦方向へ間欠的に並ぶ複数条の熱融着線６を介して固着されている。パンツ２には、胴周り開口７と一対の脚周り開口８とが画成されている。
【００１７】
パンツ２の前後胴周り域３８，４０には、胴周り方向へ延びる複数条の胴周り用弾性部材９が伸長状態で取り付けられている。胴周り用弾性部材９は、胴周り開口７と脚周り開口８との間を縦方向へ所与寸法離間して並んでいる。脚周り開口８の周縁部８ａには、脚周り方向へ延びる複数条の脚周り用弾性部材１０が伸長状態で取り付けられている。胴周り用弾性部材９と脚周り用弾性部材１０とは、パンツ２を形成するシート３，４の間に介在し、それらシート３，４に固着されている。
【００１８】
パッド１１は、肌当接側に位置する透液性表面シート１２と、肌非当接側に位置する不透液性裏面シート１３と、それらシート１２，１３の間に介在する吸液性コア１４とから形成されている。コア１４は、表面シート１２と裏面シート１３との少なくとも一方の内面に接合されている。
【００１９】
パッド１１は、パンツ２の股下域３９を中心として前後胴周り域３８，４０へ向かって延びている。パッド１１は、前胴周り域３８の中央部３８ａに位置して胴周り方向へ延びる前端部１５と、後胴周り域４０の中央部４０ａに位置して胴周り方向へ延びる後端部１６と、それら端部１５，１６の間を脚周り方向へ延びる両側部１７とを有する。パッド１１の両側部１７には、脚周り方向へ延びる複数条の弾性部材１８が伸長状態で取り付けられている。弾性部材１８は、表面シート１２と裏面シート１３との間に介在し、それらシート１２，１３の内面に固着されている。
【００２０】
パッド１１は、パンツ２の股下域３９に連結され、それ以外の部位がパンツ２から遊離している。パンツ２の股下域３９では、パッド１１を形成する裏面シート１３の外面がパンツ２を形成するシート３にホットメルト型接着剤３６を介して固着されている。
【００２１】
第１吊持部材１９は、互いに重なり合う実質的に不透液性の二枚のシート２０，２１から形成され、パンツ２の前胴周り域３８を胴周り方向へ延びている。第１吊持部材１９は、股下域３９の直上を胴周り方向へ延びる内端部２２と、胴周り開口７近傍を胴周り方向へ延びる外端部２３と、内外端部２２，２３の間を縦方向へ延びる両側部２４とを有する。第１吊持部材１９の内端部２２と外端部２３とには、胴周り方向へ延びる複数条の弾性部材２６が伸長状態で取り付けられている。弾性部材２６は、第１吊持部材１９を形成するシート２０，２１の間に介在し、それらシート２０，２１に固着されている。
【００２２】
第２吊持部材２７は、互いに重なり合う実質的に不透液性の二枚のシート２８，２９から形成され、パンツ２の後胴周り域４０を胴周り方向へ延びている。第２吊持部材２７は、股下域３９の直上を胴周り方向へ延びる内端部３０と、胴周り開口７近傍を胴周り方向へ延びる外端部３１と、内外端部３０，３１の間を縦方向へ延びる両側部３２とを有する。第２吊持部材２７の内端部３０と外端部３１とには、胴周り方向へ延びる複数条の弾性部材３４が伸長状態で取り付けられている。弾性部材３４は、第２吊持部材２７を形成するシート２８，２９の間に介在し、それらシート２８，２９に固着されている。
【００２３】
第１吊持部材１９の胴周り方向中央部２５には、パッド１１の前端部１５がホットメルト型接着剤３７を介して固着されている。第１吊持部材１９の内端部２２には、パッド１１の両側部１７がホットメルト型接着剤（図示せず）を介して固着されている。第２吊持部材２７の胴周り方向中央部３３には、パッド１１の後端部１６がホットメルト型接着剤３７を介して固着されている。第２吊持部材２７の内端部３０には、パッド１１の両側部１７がホットメルト型接着剤（図示せず）を介して固着されている。パッド１１の前後端部１５，１６と両側部１７とでは、パッド１１を形成する裏面シート１３の外面がそれら吊持部材１９，２７を形成するシート２０，２８に固着されている。
【００２４】
第１および第２吊持部材１９，２７は、横方向へ伸長状態でパンツ２に連結されている。第１および第２吊持部材１９，２７は、その両側部２４，３２が前記熱融着線６を介して前後胴周り域３８，４０における胴周り側部５に固着され、その外端部２３，３１が胴周り方向へ並ぶ２つの接合域３５を介して前後胴周り域３８，４０に固着されている。接合域３５は、それら吊持部材１９，２７の外端部２３，３１におけるパッド１１の前後端部１５，１６と両側縁部１７との交差部位１１ａの外側近傍に形成されている。接合域３５では、パンツ２と第１および第２吊持部材１９，２７とがホットメルト型接着剤（図示せず）を介して固着されている。
【００２５】
おむつ１Ａでは、図２に示すように、パッド１１を第１および第２吊持部材１９，２７に固着するとき、それら吊持部材１９，２７が横方向へ伸長状態にあり、第１および第２吊持部材１９，２７をパンツ２に固着するとき、パンツ２の前後胴周り域３８，４０が横方向へ伸長状態にある。
【００２６】
図２の状態からおむつ１Ａに成形するには、表面シート１２が内側になるように、おむつ１Ａを縦方向へ二分する横中心線Ｌで折曲して前後胴周り域３８，４０の胴周り側部５を合掌状に重ね合わせ、第１および第２吊持部材１９，２７の両側部２４，３２とともに胴周り側部５を固着する。
【００２７】
このおむつ１Ａでは、第１および第２吊持部材１９，２７がその両側部２４，３２のみならず、その外端部２３，３１が接合域３５を介してパンツ２に固着されているので、おむつ１Ａを着用するときに、第１および第２吊持部材１９，２７に着用者の脚が引っ掛ってしまったり、着用者がその脚をパンツ２と第１および第２吊持部材１９，２７との間に通してしまうことはなく、おむつ１Ａの着用に手間取ることがない。
【００２８】
このおむつ１Ａでは、その着用時に、第１および第２吊持部材１９，２７が着用者の胴部に固定されることで、それら吊持部材１９，２７に連結されたパッド１１が着用者の肌に密着する。また、おむつ１Ａでは、第１および第２吊持部材１９，２７の全域がパンツ２に固着されている場合と比較して、パンツ１Ａの前後胴周り域３８，４０の動きが第１および第２吊持部材１９，２７に伝わり難い。ゆえに、おむつ１Ａでは、パンツ２の前後胴周り域３８，４０が着用者の胴部においてずれ下がったとしても、それに追従して第１および第２吊持部材１９，２７やそれら吊持部材１９，２７に連結されたパッド１１がずれ下がってしまうことはなく、着用者に対するパッド１１の密着状態を維持することができ、排泄物をパッド１１に確実に吸収、保持させることができる。
【００２９】
図４は、他の実施の形態の展開した状態で示すおむつ１Ｂの部分破断平面図である。図４では、パンツ２とパッド１１と第１および第２吊持部材１９，２７とが縦方向と横方向とヘ伸長状態にある。
【００３０】
このおむつ１Ｂは、パンツ２と、パンツ２の内側に位置する体液吸収性パッド１１と、パンツ２とパッド１１との間に位置してそれらを連結する第１および第２吊持部材１９，２７とから構成されている点において、図１のそれと同様である。このおむつ１Ｂが図１のそれと異なる点は、第１および第２吊持部材１９，２７の外端部２３，３１が胴周り方向へ間欠的に並ぶ多数の接合域３５を介してパンツ２の前後胴周り域３８，４０に固着されていることにある。
【００３１】
図４の状態からおむつ１Ｂに成形するには、おむつ１Ｂを縦方向へ二分する横中心線Ｌで折曲して前後胴周り域３８，４０の胴周り側部５を合掌状に重ね合わせ、第１および第２吊持部材１９，２７の両側部２４，３２とともに胴周り側部５を固着する。
【００３２】
このおむつ１Ｂでは、第１および第２吊持部材１９，２７の外端部２３，３１に図１のそれよりも多い接合域３５が形成されているので、図１のおむつ１Ａと比較して、おむつ１Ｂを着用するときに、第１および第２吊持部材１９，２７に着用者の脚が引っ掛ることや着用者がその脚をパンツ２とそれら吊持部材１９，２７との間に通してしまうことを確実に防ぐことができる。
【００３３】
それら図示例のおむつ１Ａ，１Ｂでは、パンツ２の前後胴周り域３８，４０の伸縮性と第１および第２吊持部材１９，２７の伸縮性とを利用して着用者の胴部を締め付けることができ、着用者の胴部からのおむつ１Ａ，１Ｂのずれ下がりを防止することができる。
【００３４】
それらおむつ１Ａ，１Ｂでは、前後胴周り域３８，４０の胴周り側部５が連結されたときに、パッド１１の両側部１７に取り付けられた弾性部材１８と第１および第２吊持部材１９，２７の内端部２２，３０に取り付けられた弾性部材２６，３４とが実質的に環状を形成する。おむつ１Ａ，１Ｂでは、それら弾性部材１８，２６，３４の伸縮性を利用して着用者の脚周りを締め付けることができ、パッド１１の両側部１７を着用者の肌に密着させることができるので、パッド１１の両側部１７からの排泄物の漏れを防ぐことができる。
【００３５】
表面シート１２には、親水性繊維不織布、または、微細な多数の開孔を有するプラスチックフィルムを使用することができる。パンツ２や第１および第２吊持部材１９，２７を形成するシート３，４，２０，２１，２８，２９、裏面シート１３には、疎水性繊維不織布、不透液性のプラスチックフィルム、重なり合う疎水性繊維不織布を貼り合わせた２層の不織布、疎水性繊維不織布にプラスチックフィルムを貼り合わせた複合シートのいずれかを使用することができる。
【００３６】
パンツ２や第１および第２吊持部材１９，２７を形成するシート３，４，２０，２１，２８，２９、裏面シート１３には、高い耐水性を有するメルトブローン法による繊維不織布を、高い強度を有しかつ柔軟性に富んだスパンボンド法による繊維不織布で挟んだ複合不織布を使用することもできる。
【００３７】
不織布としては、スパンレース、ニードルパンチ、メルトブローン、サーマルボンド、スパンボンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレン、または、ポリエチレン／ポリエステルからなる芯鞘型複合繊維または並列型複合繊維を使用することができる。
【００３８】
それら図示例のおむつ１Ａ，１Ｂでは、パンツ２と第１および第２吊持部材１９，２７とが弾性伸縮性を有するシートから形成されていてもよい。伸縮性を有するシートには、伸縮性かつ疎水性の繊維不織布、伸縮性かつ不透液性のプラスチックフィルム、重なり合う伸縮性かつ疎水性の繊維不織布を貼り合わせた２層の不織布、伸縮性を有する疎水性の繊維不織布に不透液性のプラスチックフィルムを貼り合わせた複合シートのいずれかを使用することができる。
【００３９】
伸縮性の繊維不織布としては、メルトブローンやスパンボンドの各製法により製造されたものを使用することができる。伸縮性の不織布の構成繊維には、熱可塑性エラストマー樹脂を溶融、紡糸した伸縮性繊維を使用することができる。また、熱可塑性エラストマー樹脂繊維からなる疎水性繊維不織布の少なくとも片面に、ポリプロピレン、ポリエチレン、ポリエステル、のいずれかの熱可塑性合成樹脂を溶融、紡糸した捲縮繊維からなる疎水性繊維不織布を貼り合わせた複合不織布を使用することもできる。
【００４０】
コア１４は、フラッフパルプと高吸収性ポリマー粒子との混合物、または、フラッフパルプと高吸収性ポリマー粒子と熱可塑性合成樹脂繊維との混合物であり、所要の厚みに圧縮されている。コア１４は、その型崩れやポリマー粒子の脱落を防止するためにその全体がティッシュペーパーに被覆されていることが好ましい。ポリマー粒子としては、デンプン系、セルロース系、合成ポリマー系のものを使用することができる。
【００４１】
パッド１１と第１および第２吊持部材１９，２７との固着やパンツ２と第１および第２吊持部材１９，２７との固着には、ホットメルト型接着剤の他に、ヒートシールや超音波接合等の熱による溶着手段を利用することができる。表裏面シート１２，１３の固着やコア１４の接合、弾性部材９，１０，１８，２６，３４の取り付けには、ホットメルト型接着剤、または、ヒートシールや超音波接合等の熱による溶着手段を利用することができる。
【図面の簡単な説明】
【００４２】
【図１】おむつの部分破断斜視図。
【図２】展開した状態で示す図１のおむつの部分破断平面図。
【図３】図１のＡ−Ａ線矢視断面図。
【図４】他の実施の形態の展開した状態で示すおむつの部分破断平面図。
【符号の説明】
【００４３】
１Ａ，１Ｂ        使い捨て着用物品
２                パンツ
５                胴周り側部
７                胴周り開口
８                脚周り開口
８ａ              周縁部
９                胴周り用弾性部材
１０                脚周り用弾性部材
１１                体液吸収性パッド
１１ａ              交差部位
１２                透液性表面シート
１３                不透液性裏面シート
１４                吸液性コア
１５                前端部
１６                後端部
１７                両側部
１８                弾性部材
１９                伸縮性第１吊持部材
２２                内端部
２３                外端部
２４                両側部
２５                胴周り方向中央部
２７                伸縮性第２吊持部材
３０                内端部
３１                外端部
３２                両側部
３３                胴周り方向中央部
３５                接合域
３８                前胴周り域
３８ａ              中央部
３９                股下域
４０                後胴周り域
４０ａ              中央部
【図１】
2006026426.tif 000003
【図２】
2006026426.tif 000004
【図３】
2006026426.tif 000005
【図４】
2006026426.tif 000006